(57)【要約】【課題】敷設時に曲線に沿わせて敷設できるテープを提供する。【解決手段】所定の幅と厚みを有し、長手方向に連続したテープ本体１と、該テープ本体１に長手方向に沿って埋設された非伸縮性芯材２とを有するテープにおいて、前記テープ本体１は平面展開状態において曲線状態を呈することを特徴とする。【選択図】図１
2005102986.tif 000002
【特許請求の範囲】
【請求項１】
所定の幅と厚みを有し、長手方向に連続したテープ本体（１）と、該テープ本体（１）に長手方向に沿って埋設された非伸縮性芯材（２）とを有するテープにおいて、前記テープ本体（１）は平面展開状態において曲線状態を呈することを特徴とするテープ。
【請求項２】
前記芯材（２）がテープ本体（１）の幅方向の一端部（３）にのみ埋設されていることを特徴とする請求項１記載のテープ。
【請求項３】
前記平面展開状態のテープが有する曲率が、テープに外力を加えない自由状態における曲率であることを特徴とする請求項１又は２記載のテープ。
【請求項４】
前記平面展開状態のテープが有する曲率を、前記テープ本体（１）の幅方向他端部（５）に長手方向に沿った外力を加えることで、任意に変更できるようにしたことを特徴とする請求項１〜３の何れかに記載のテープ。
【請求項５】
前記芯材（２）の埋設位置がテープが曲線状に変形した時の中立位置の近傍であることを特徴とする請求項１〜４の何れかに記載のテープ。
【請求項６】
前記芯材（２）がガラス繊維、炭素繊維、合成樹脂、若しくは金属、又はこれらの複合材料より構成され、かつ単糸若しくは複数の素線から構成される非伸縮性のより糸であって、テープ本体（１）は伸縮性であることを特徴とする請求項１〜５の何れかに記載のテープ。
【発明の詳細な説明】
【技術分野】
【０００１】
本発明は、運動場、運動・遊戯用コートその他フィールド、広場等に敷設するテープに関するものである。
【背景技術】
【０００２】
この種の従来技術においては、テープ本体を構成する軟質塩化ビニルに比べて非伸縮性のガラス繊維等の繊維糸を芯材として幅方向にほぼ均等な間隔で埋設させ、テープの伸びを抑制するものが案出されている。（例えば、特許文献１または２）かかる技術では埋設された芯材により破断強度が増して耐久性が向上しており、従来の１５ｍｍ幅のテープでしか実施されていなかった芯材による強化が５０ｍｍの広幅に対しても行われた点に長所が見出せる。
【特許文献１】実公平６−２６３００号公報（第１−２頁）
【特許文献２】実公平７−７９９１号公報（第１−２頁）
【発明の開示】
【発明が解決しようとする課題】
【０００３】
従来のテープは陸上競技のトラック、バスケットボールコート等でも使用されてきた。かかる競技のエリアは直線部と曲線部で構成されている。かかる競技場のライン幅はいずれも５０ｍｍ程度の幅であり、前述のテープでは広幅に当たる。
しかし、かかる広幅のテープは非伸縮性の繊維糸を幅方向で均等に埋設したため、作業者がテープ幅方向の一端部を引っ張っても殆ど伸びることがない。直線部では問題とはならないが、曲線に用いようとすると、作業者が曲線に沿わせて変形させることができない。そのため、芯材が埋設された広幅のテープは曲線部への敷設が困難とされていた。
【０００４】
本発明はこのような従来技術の問題点を解決すべく、屋内外の運動場、運動・遊戯用コート等に競技用ラインを敷設するに際して、従来の芯材を埋設したテープでは困難であった曲線部分への敷設を可能とならしめる広幅のテープを得ることを目的とする。
【課題を解決するための手段】
【０００５】
本発明では上記の目的を達成するために、次の手段を講じた。
即ち、所定の幅と厚みを有し、長手方向に連続したテープ本体と、該テープ本体に長手方向に沿って埋設された非伸縮性芯材とを有するテープにおいて、前記テープ本体は平面展開状態において曲線状態を呈する点にある。
これによって、曲線状の形状をそのまま利用して曲線部分への敷設を可能とならしめる。
また、前記芯材はテープ本体の幅方向の一端部にのみ埋設されているのが好ましい。
【０００６】
これによって、平面展開状態において曲線状のテープを得ることができる。
さらに、前記平面展開状態のテープが有する曲率が、テープに外力を加えない自由状態における曲率であるのが好ましい。
これによって、作業者が一定の曲率を有する曲線部に対して変形せずにそのまま敷設することができる。
また、前記平面展開状態のテープが有する曲率を、前記テープ本体の幅方向他端部に長手方向に沿った外力を加えることで、任意に変更できるのが好ましい。
【０００７】
これによって、曲率が一定でない曲線部への敷設が可能となる。
また、前記芯材の埋設位置は、テープ本体が曲線状に変形した時の中立位置の近傍であるのが好ましい。
これによって、芯材はテープ本体の変形の妨げとならず、芯材の埋設による補強効果を有効に受け継ぐことができる。
さらに、前記芯材がガラス繊維、炭素繊維、合成樹脂、若しくは金属、又はこれらの複合材料より構成され、かつ単糸若しくは複数の素線から構成されるより糸であって、テープ本体を構成する合成樹脂材料に比べて非伸縮性であるのが好ましい。
【０００８】
これによって、任意の曲率を有する曲線状にテープを曲成でき、加えて自由状態から任意の曲率に変形させられる曲率の変更可能範囲も変化させることができる。
【発明の効果】
【０００９】
本発明によれば、自由状態でテープが示す曲線状の形状をそのまま利用して、または自由状態のテープの曲率を任意に変更して変形させて曲線に沿わして敷設することができる。
【発明を実施するための最良の形態】
【００１０】
以下、添付した図面を用いて本発明の実施形態を説明する。各図において、同一の構成要素については同一の符号を付し、重複した説明は省略する。
図１は敷設前のテープの平面展開状態を示した上面図である。該テープはテープ本体１と芯材２より構成され、さらにテープ本体１は幅方向で一端部３と中央部４と他端部５に分かれている。芯材２は一端部のみに埋設され、他端部５や中央部４には埋設されていない。また、テープの幅方向中心線６に対して対称に長手方向に走る凹溝７が両端部にあり、凹溝７の上に長手方向に交互に挿通孔８が穿孔されている。
【００１１】
凹溝７や挿通孔８の近傍は平坦となっており、釘などの固定具を用いてテープを固定した後に、釘頭とテープの隙間に土砂が入り込んで、テープの固定が緩くなる可能性が低い。よって、凹溝７若しくは挿通孔８に対して固定具を穿通させて、テープを固定することが好ましい。
また、中央部には長手方向に複数の凸条９を有している。凸条９は滑り止め効果を有するので設置する方が好ましいが、平坦部としても良い。
図２にテープの製造工程を示す。ガラス繊維の素線より成る集合素線１０を塩化ビニル系の接着剤１１で撚りながら接着させ、軟質ポリ塩化ビニルの押出機１２のクロスヘッド１３を通して該テープは成形される。このとき、テープ幅方向の一端部３のみに芯材２を通すと、芯材２がテープ本体の幅方向の一端部３にのみ埋設されているテープを得ることができる。かかる製造工程により一端部３にのみ芯材２を埋設すると、テープは自由状態で他端部５を内側として湾曲した曲線状態を示す。外力を加えない自由状態でテープが示す曲線状態の曲率とテープを敷設する曲線ラインの曲率が合えば、このままテープを敷設することができる。
【００１２】
外力を加えない自由状態でテープが示す曲率で不十分の場合は、以降に図２〜４を用いて示す敷設手段を取ることもできる。
図３はテープを敷設する際の状態を示す斜視図である。前述の自由状態においてテープが呈する曲線状態とは異なり、一端部３を内側とする曲線状態で敷設されている。敷設に際しては、両端部に穿孔された挿通孔８に固定具１４を通して地面にテープを固定してゆくが、他端部５を長手方向に伸ばすと芯材２が埋設されていないため、他端部５は伸ばしながら固定具１４を鋲着することができる。この場合の伸び量１５は敷設する曲線の曲率に合わせて任意に変更できるので、平面展開状態とは異なった任意の曲率に合わせた敷設が可能となる。
【００１３】
図４は芯材２の斜視図である。芯材２はガラス繊維、炭素繊維、合成樹脂、若しくは金属、又はこれらの複合材料より構成され、かつ単糸若しくは複数の素線から構成される非伸縮性のより糸である。本実施例では、複数のサブミクロン径のガラス繊維素線より成る集合素線１０を５束用いて、これをピッチ３．８のＳ撚りしたより糸を用いている。しかし、芯材２はガラス繊維のより糸のみに限らず、前述の他の材料から得ることもできる。
なお、より糸を塩化ビニル系の接着剤１１で接着させて構成しているが、これはより糸の接着対象がポリ塩化ビニル系であるからである。より糸やテープ本体１の合成樹脂の選択次第で当然最適な接着剤１１の選択が必要となる。
【００１４】
図５は本発明の実施例の一つを示した斜視図である。一般的にテープ本体１の幅方向の芯材２埋設位置は、テープ本体１の伸縮の阻害要因になる。非伸縮性の芯材２により埋設位置は伸縮が生じにくくなるためである。よって、伸縮の中立線１６の近傍にのみ芯材２を埋設することで、テープ本体１が本来有する伸縮特性に沿った変形が可能となる。本実施例では芯材２を変形の中立線１６のある幅方向中心線６近傍にのみ埋設した。これは、芯材２の埋設箇所は一端部３に限られないことを示す。
さらに、テープ本体１を構成する合成樹材料は、軟質ポリ塩化ビニルに限定されるものではない。合成樹脂材料としてはポリプロピレン、ポリエチレン、ポリエステル、ポリスチレン若しくはポリアミド、またはこれらを含む複合材料から任意に選択できる。前述の芯材２と合成樹脂材料の選択の組合せを変更することで、平面展開状態での曲率を任意に変化させることができ、種々な競技場のラインに適したテープを得ることができる。
【産業上の利用可能性】
【００１５】
本願発明は、運動場、運動・遊戯用コートその他フィールド、広場等に敷設するテープに関するものである。かかる運動場、運動・遊戯用コートとは、陸上競技のトラック、ドッジボール、ポートボール、野球、ソフトボール、バスケットボール、ハンドボール、ラグビー、テニス、サッカー、バレーボール、ゲートボールなどのコートを示す。特に、屋外の曲線部をコートを有する陸上競技やバスケットボールには利用できる可能性が高く、有用性がある。また、本発明は、テープのみでなく、その製造業や施工業においても利用することができる。
【図面の簡単な説明】
【００１６】
【図１】図１は敷設前のテープの平面展開状態を示す上面図である。
【図２】図２はテープの製造工程を示す図である。
【図３】図３は外力を長手方向に加えて幅方向の一端を伸ばしながら敷設中のテープの斜視図である。
【図４】図４は芯材の断面図である。
【図５】図５は中立線がテープの中心線付近にある広幅のラインテープの敷設状態を示す図である。
【符号の説明】
【００１７】
１    テープ本体
２    芯材
３    幅方向一端部
５    幅方向他端部
【図１】
2005102986.tif 000003
【図２】
2005102986.tif 000004
【図３】
2005102986.tif 000005
【図４】
2005102986.tif 000006
【図５】
2005102986.tif 000007